(57)【要約】【課題】動画の再生速度の変更操作をより容易にする、動画再生装置およびプログラムを提供する。【解決手段】携帯端末１０の演算手段１１は、タッチパネル１３に動画が再生されている間にタッチ操作が入力されると、再生速度調整バー２０およびノブ２１を表示するとともに、動画再生速度を所定の速度とする。その後、スライド操作が入力された場合に、スライド操作の内容に応じて動画再生速度を変更する。たとえば上方向へのスライド操作が入力された場合には、演算手段１１は、スライド操作の距離に応じて動画再生速度を増加させる。【選択図】図４
2014154908.tif 000002
【特許請求の範囲】
【請求項１】
タッチパネルを備える動画再生装置であって、
前記タッチパネルに動画が再生されている間に、前記タッチパネルにおいて動画が再生されている領域にタッチ操作が入力され、その後、前記タッチパネルにスライド操作が入力された場合に、前記スライド操作の内容に応じて動画再生速度を変更する、動画再生装置。
【請求項２】
動画再生速度を、前記スライド操作の向きおよび距離に応じて異なる値に変更する、請求項１に記載の動画再生装置。
【請求項３】
前記タッチ操作が入力された位置に応じた位置に、スライド操作の向きと動画再生速度との関係を表すガイドマークを表示する、請求項１または２に記載の動画再生装置。
【請求項４】
前記タッチ操作が入力されることに応じて、動画再生速度を、通常の速度とは異なる所定の速度に変更し、
前記タッチ操作の後にタッチ解除操作が入力された場合、または、前記スライド操作の後にタッチ解除操作が入力された場合に、動画再生速度を前記通常の速度に変更する、請求項１〜３のいずれか一項に記載の動画再生装置。
【請求項５】
前記動画再生装置は、
動画再生速度を０倍速とすることにより静止画表示を行い、
動画再生速度を０倍速よりも小さい速度とすることにより逆再生を行う、請求項１〜４のいずれか一項に記載の動画再生装置。
【請求項６】
前記動画再生装置は、動画が再生されている間、前記タッチ操作が入力されるまでは、動画再生速度の変更を指示するためのユーザインタフェースを表示しない、請求項１〜５のいずれか一項に記載の動画再生装置。
【請求項７】
タッチパネルを備えるコンピュータを、請求項１〜６のいずれか一項に記載の動画再生装置として機能させるプログラム。
【発明の詳細な説明】
【技術分野】
【０００１】
本発明は動画再生装置およびプログラムに関し、とくにタッチパネルを備え動画再生速度が変更可能なものに関する。
【背景技術】
【０００２】
動画の再生速度を変更する機能を持つ動画再生装置が公知である。また、動画再生装置において、ハードウエアとしてのキーやボタンではなく、画面上にキーやボタンを表す画像を表示するものも公知である。たとえば特許文献１には、一時停止や早送りを指示するためのボタンを、画面の最下部に表示することが記載されている。
【先行技術文献】
【特許文献】
【０００３】
【特許文献１】特開２００９−１４１５５９号公報
【発明の概要】
【発明が解決しようとする課題】
【０００４】
しかしながら、従来の技術では、動画の再生速度を変更するための操作について、画面に表示されるユーザインタフェース（ボタン等）の利便性に限界があった。
【０００５】
たとえば、画面内に常時ユーザインタフェースが表示されるため動画を表示する領域が狭くなったり、再生速度が２倍、４倍および８倍という飛び飛びの値しか指定できなかったり、操作のために一旦動画から目を離す必要があったり、という問題がある。
【０００６】
この発明は、このような問題点を解決するためになされたものであり、動画の再生速度を変更するための操作の利便性をより高くする動画再生装置およびプログラムを提供することを目的とする。
【課題を解決するための手段】
【０００７】
上述の問題点を解決するため、この発明に係る動画再生装置は、タッチパネルを備える動画再生装置であって、前記タッチパネルに動画が再生されている間に、前記タッチパネルにおいて動画が再生されている領域にタッチ操作が入力され、その後、前記タッチパネルにスライド操作が入力された場合に、前記スライド操作の内容に応じて動画再生速度を変更する。
動画再生速度を、前記スライド操作の向きおよび距離に応じて異なる値に変更してもよい。
前記タッチ操作が入力された位置に応じた位置に、スライド操作の向きと動画再生速度との関係を表すガイドマークを表示してもよい。
前記タッチ操作が入力されることに応じて、動画再生速度を、通常の速度とは異なる所定の速度に変更し、前記タッチ操作の後にタッチ解除操作が入力された場合、または、前記スライド操作の後にタッチ解除操作が入力された場合に、動画再生速度を前記通常の速度に変更してもよい。
前記動画再生装置は、動画再生速度を０倍速とすることにより静止画表示を行い、動画再生速度を０倍速よりも小さい速度とすることにより逆再生を行ってもよい。
前記動画再生装置は、動画が再生されている間、前記タッチ操作が入力されるまでは、動画再生速度の変更を指示するためのユーザインタフェースを表示しないものであってもよい。
【０００８】
また、この発明に係るプログラムは、タッチパネルを備えるコンピュータを上述の動画再生装置として機能させる。
【発明の効果】
【０００９】
この発明に係る動画再生装置によれば、タッチパネルにおいて動画が再生されている領域へのタッチ操作およびスライド操作によって動画再生速度の変更が可能なので、操作の利便性が高まる。
【００１０】
たとえば、画面内に常時ユーザインタフェースを表示する必要がないので動画を表示する領域を広く確保できる。また、スライド操作に応じて再生速度をより連続的に指定できる。また、操作のために動画から目を離す必要がない。
【図面の簡単な説明】
【００１１】
【図１】本発明の実施の形態１に係る携帯端末（動画再生装置）の外観の例を示す図である。
【図２】図１の携帯端末の内部構成の例を示す図である。
【図３】図２の演算手段が実行する処理の流れを示すフローチャートである。
【図４】動作に伴って変化するタッチパネルの表示内容を示す図である。
【図５】実施の形態２に係るガイドマークである操作円の例を示す図である。
【図６】連続するスライド操作を示す。
【図７】図４の再生速度調整バーが図６のスライド操作に応じて移動する動作の例である。
【図８】図５の操作円が図６のスライド操作に応じて移動する動作の例である。
【図９】ガイドマークの変形例を示す図である。
【発明を実施するための形態】
【００１２】
以下、この発明の実施の形態を添付図面に基づいて説明する。
実施の形態１．
図１および図２に、本発明の実施の形態１に係る動画再生装置である携帯端末１０の構成の例を示す。図１は外観を示し、図２は内部構成を示す。携帯端末１０は公知のコンピュータとしての構成を有し、演算を行う演算手段１１と、情報を格納する記憶手段１２とを備える。演算手段１１はＣＰＵ（中央処理装置）を含み、記憶手段１２は半導体メモリおよびＨＤＤ（ハードディスクドライブ）等の記憶媒体を含む。
【００１３】
また、携帯端末１０はタッチパネル１３を備える。タッチパネル１３は、画像（静止画および動画）を表示する画像表示手段として機能し、また、ユーザからの入力操作を受け付ける入力手段としても機能する。タッチパネル１３において、画像を表示することが可能な領域と、ユーザからの入力操作を受け付けることが可能な領域とは、少なくとも一部が重複する。
【００１４】
本実施形態では、携帯端末１０はいわゆるスマートフォンとして構成される。とくに図示しないが、携帯端末１０は、マイク等の音声入力手段と、スピーカ等の音声出力手段と、他のコンピュータや情報記憶媒体と通信するためのコネクタまたはアンテナ等を備える。また、携帯端末１０は、タッチパネル１３の他に追加の入力手段（ボタンやキーボード等）を備えてもよい。
【００１５】
演算手段１１は、タッチパネル１３に対するタッチ操作、スライド操作およびタッチ解除操作を入力として受け付けることが可能である。
タッチ操作の例は、ユーザの指等の物理構造がタッチパネル１３のいずれかの位置に接触することである。演算手段１１は、タッチパネル１３に対するタッチ操作を検出するとともに、タッチパネル１３においてタッチ操作が入力された位置を特定することができる。
【００１６】
スライド操作の例は、タッチパネル１３のある位置に接触していた物理構造が、タッチパネル１３に接触したまま別の位置に移動することである。演算手段１１は、タッチパネル１３に対するスライド操作を検出するとともに、スライド操作の開始位置および終了位置を特定することができる。また、スライド操作の向きおよび距離も特定することができる。
【００１７】
タッチ解除操作の例は、タッチパネル１３に接触していた物理構造がタッチパネル１３から離れることである。このタッチ解除操作は、タッチ操作の後、そのタッチ位置において行われるものと、１回以上のスライド操作を経て、タッチ操作とは異なる位置において行われるものとを含む。
【００１８】
なお、演算手段１１およびタッチパネル１３は、これらの操作に加え、公知のタップ操作、ダブルタップ操作、フリック操作等を入力として受け付けるものであってもよい。
【００１９】
記憶手段１２は、携帯端末１０の動作を規定するプログラムと、動画に関連するデータとを記憶する。演算手段１１がこのプログラムを実行することにより、携帯端末１０は動画再生装置として機能し、本明細書に記載の各機能を実現する。動画は、たとえばＭＰＥＧ等の動画に関連する規格に従うデータとして生成されたものである。または、表示領域全体または一部に表示される静止画のパターンを変更しながら逐次表示することによるアニメーション等であってもよい。記憶手段１２への動画の記憶形式はどのようなものであってもよく、ＭＰＥＧ等の規格において規定される形式の他、たとえば異なるパターンを表す複数の静止画の集合であってもよいし、動画または静止画の特徴を表すパラメータのリストであってもよい。
【００２０】
携帯端末１０の動作を規定するプログラムは、たとえばゲームプログラムを含む。また、携帯端末１０は、状況（たとえばゲームの進行状況）に応じて異なる動画を表示する。動画の具体例として、ゲーム内での戦闘における演出動画や、状況の変化を示す表示変更を扱うことができる。しかしながら、プログラムはゲームに関連しないものであってもよく、また予め内容が決定されている動画（映画等）の再生を主な目的とするものであってもよい。
【００２１】
以上のように構成される携帯端末１０の動作を、以下に説明する。
図３は、演算手段１１が実行する処理の流れを示すフローチャートである。また、図４は、このフローチャートに示す動作に伴って変化するタッチパネル１３の表示内容を示す。
【００２２】
まず演算手段１１は動画の再生を開始する（ステップＳ１）。図４（ａ）はこの時点における表示の一例を示す。この時点では、動画再生速度の変更を指示するためのユーザインタフェース（一時停止ボタン、早送りボタン等）は表示されていない。動画の再生は、１倍速すなわち通常の動画再生速度で開始される。なお、「通常の動画再生速度」の意味は当業者に明らかであるが、たとえば動画再生速度の変更に関する操作を一切していない状態（すなわちデフォルト設定の状態）で携帯端末１０が動画を表示する際の速度と定義してもよい。
【００２３】
演算手段１１は、動画が再生されている間に、タッチパネル１３において動画が再生されている領域に対するタッチ操作を入力として受け付ける（ステップＳ２）。ここで、ユーザがタッチ操作を入力しない場合には１倍速で動画の再生が進行し、ステップＳ２以降が実行されないまま動画の再生が終了する場合もある。
【００２４】
演算手段１１は、ステップＳ２のタッチ操作に応じて、動画再生速度に関するガイドマークおよび速度ポインタを表示する（ステップＳ３）。図４（ｂ）では、ガイドマークの例として、再生速度調整バー２０が表示されている。また、速度ポインタとしてノブ２１が表示されている。なお、図４および他の図に、ユーザの指３０が示されているが、これは入力と表示との関係を説明するため便宜的に図示するものであって、タッチパネル１３が表示する内容の一部ではない（ただし、タッチパネル１３が、指３０に対応する画像等、たとえばカーソル等を表示する態様を除外するものではない。）
【００２５】
再生速度調整バー２０およびノブ２１は、タッチ操作が入力された位置（またはその位置に応じた位置）に表示される。再生速度調整バー２０は、後述するスライド操作の向きと動画再生速度との関係を表す。図４の例では、再生速度調整バー２０は上下に延びるバーとして表示されており、上方向がより大きい動画速度に対応し、下方向がより小さい動画速度に対応する。また、再生速度調整バー２０およびノブ２１は、たとえば半透明処理を用いて表示され、動画と重なって表示された場合でも動画の内容をある程度透過して表示することができるように構成される。
【００２６】
ノブ２１は、後述するようにスライド操作に応じてその位置が変化するものであり、各時点での動画再生速度を示す。図４（ｂ）では、ノブ２１は、再生速度調整バー２０における所定の基準位置（たとえば中央）に表示されているが、これはたとえば動画再生速度が２倍速であることを示す。また、たとえば、ノブ２１が再生速度調整バー２０の中央よりも上寄りに表示されていれば、動画再生速度が２倍速よりも大きいことを示し、ノブ２１が再生速度調整バー２０の中央よりも下寄りに表示されていれば、動画再生速度が２倍速よりも小さいことを示す。
【００２７】
再生速度調整バー２０は、動画再生速度が変更可能な範囲の上限および下限を示すものであってもよい。たとえば、ノブ２１が再生速度調整バー２０の上端に表示されていれば、動画再生速度が所定の上限値（たとえば１５倍速）であることを示す。また、ノブ２１が再生速度調整バー２０の下端に表示されていれば、動画再生速度が所定の下限値（たとえば１倍速）であることを示す。ここで、再生速度調整バー２０におけるノブ２１の位置（座標）と、動画再生速度とは、線形の関係でなくともよい。
【００２８】
また、演算手段１１は、ステップＳ２のタッチ操作に応じて、動画再生速度を、２倍速（すなわち通常の２倍の速度）に変更する（ステップＳ４）。その後、演算手段１１は、変更された動画再生速度で動画を再生する（ステップＳ５）。２倍速で動画を再生することは、早送りを行うことに対応する。
【００２９】
次に、演算手段１１は、タッチパネル１３において動画が再生されている領域に対する操作を入力として受け付ける（ステップＳ６）。ステップＳ６において演算手段１１が受け付ける入力は、たとえばタッチ解除操作およびスライド操作である。
【００３０】
ステップＳ６においてタッチ解除操作が入力された場合、演算手段１１は、再生速度調整バー２０を消去する（ステップＳ７）とともに、動画再生速度を１倍速に変更する（ステップＳ８）。この時点のタッチパネル１３の表示は図４（ａ）のようになる。その後、演算手段１１は処理をステップＳ２に戻し、動画を再生しつつ次のタッチ操作の入力を待つ。なお、図３のフローチャートから明らかなように、タッチ操作の後にスライド操作を経ずに直接タッチ解除操作が入力された場合も、タッチ操作の後にスライド操作を経てからタッチ解除操作が入力された場合も、動画再生速度は１倍速となる。
【００３１】
ステップＳ６において操作が入力されない場合、すなわちステップＳ２のタッチ操作がそのまま継続している場合には、演算手段１１は処理をステップＳ５に戻し、動画を再生しつつ操作の入力を待つ。
【００３２】
ステップＳ６において上方向（第１の向き）へのスライド操作が入力された場合、演算手段１１は、スライド操作に応じてノブ２１の位置を変更する（ステップＳ９）。たとえば、ノブ２１を、再生速度調整バー２０上で終了位置に対応する位置に移動させる。図４（ｃ）はこの時点における表示の一例である。
【００３３】
次に、演算手段１１は、動画再生速度を、スライド操作の距離に応じて異なる値に増加させる（ステップＳ１０）。動画再生速度の変化量は、スライド操作の距離（またはスライド操作の距離の上方向成分）に応じて決定され、たとえば距離の単調増加関数である。
【００３４】
具体例として、スライド操作の距離が上方向に１０ドットであれば、動画再生速度に０．１を加算する。この結果、それまでの動画再生速度が２倍速であれば、変更された動画再生速度は２．１倍速となる。また、スライド操作の距離が上方向に２０ドットであれば、動画再生速度に０．５を加算する。この結果、それまでの動画再生速度が２倍速であれば、変更された動画再生速度は２．５倍速となる。
その後、演算手段１１は処理をステップＳ５に戻し、変更された動画再生速度で動画を再生しつつ、新たな操作の入力を待つ。
【００３５】
ステップＳ６において下方向（第１の向きとは逆向きとなる第２の向き）へのスライド操作が入力された場合、演算手段１１は、スライド操作に応じてノブ２１の位置を変更する（ステップＳ１１）。次に、演算手段１１は、動画再生速度を、スライド操作の距離に応じて異なる値に減少させる（ステップＳ１２）。動画再生速度の変化量は、スライド操作の距離（またはスライド操作の距離の下方向成分）に応じて決定され、たとえば距離の単調増加関数である。
【００３６】
具体例として、スライド操作の距離が下方向に１０ドットであれば、動画再生速度から０．１を減算する。この結果、それまでの動画再生速度が２倍速であれば、変更された動画再生速度は１．９倍速となる。また、スライド操作の距離が下方向に２０ドットであれば、動画再生速度から０．５を減算する。この結果、それまでの動画再生速度が２倍速であれば、変更された動画再生速度は１．５倍速となる。
その後、演算手段１１は処理をステップＳ５に戻し、変更された動画再生速度で動画を再生しつつ、新たな操作の入力を待つ。
【００３７】
ステップＳ１０およびＳ１２における動画再生速度の変更において、動画再生速度には上限および下限が設けられてもよい。たとえば、スライド操作の終了位置が再生速度調整バー２０の上端よりも上側であった場合には、実際の終了位置に関わらず、演算手段１１はノブ２１を再生速度調整バー２０の上端に表示するとともに、動画再生速度を１５倍速としてもよい。また、スライド操作の終了位置が再生速度調整バー２０の下端よりも下側であった場合には、実際の終了位置に関わらず、演算手段１１はノブ２１を再生速度調整バー２０の下端に表示するとともに、動画再生速度を１倍速としてもよい。
【００３８】
また、スライド操作が再生速度調整バー２０に沿って行われなかった場合であっても、スライド操作の移動量が上向きまたは下向きの成分を含んでいれば、同様に動画再生速度を変更することが可能である。たとえば、ユーザの指が再生速度調整バー２０から離れて斜め上方向に移動した場合であっても、上向きの成分に応じてノブ２１を移動させ、動画再生速度を増加すればよい。すなわち、再生速度調整バー２０およびノブ２１は、あくまでも動画再生速度調整を行うための指針となるガイドマークであり、これら自体に対する厳密な操作を要求する必要はない。（ただし、スライド操作が再生速度調整バー２０に沿って行われなかった場合に、スライド操作を無効とするような実施形態を除外するものではない。）
【００３９】
なお、上述のように、ステップＳ３において、再生速度調整バー２０およびノブ２１はタッチ操作が入力された位置に表示される。図４（ｄ）および図４（ｅ）は、図４（ｂ）とは異なる位置にタッチ操作が入力された場合の表示例である。図４（ｅ）のように再生速度調整バー２０の一部が画面外（または動画が再生されている領域の外）にはみ出すような位置にタッチ操作が入力された場合には、画面（または動画が再生されている領域）の境界が動画再生速度の上限または下限を制限することになる。このような場合には、ユーザは指を離し（すなわちタッチ解除操作を行い）、改めて適切な位置にタッチ操作を行うことで、動画再生速度の全範囲を有効に指定することができる。
【００４０】
なお、図３にはとくに示さないが、動画の再生が終了することに応じて図３の処理も終了する。
【００４１】
携帯端末１０が以上のように動作することにより、ユーザの利便性が以下のように向上する。
たとえば、再生速度調整バー２０およびノブ２１は常時表示されるわけではないので、タッチパネル１３において動画を表示する領域を広く確保できる。また、再生速度調整バー２０およびノブ２１は、最初にタッチした位置を基準位置（たとえば再生速度調整バー２０の中央位置）として表示されるので、画面内で見たい対象物から離れた位置を選んでタッチすれば、シーンの邪魔にならない。
【００４２】
また、擬似アナログ的なスライド操作によって動画再生速度をより連続的に（原理的にはスライド操作の検出分解能に応じた離散度で）指定できるので、所望の速度を適切に選択することができる。また、早送りの速度を段階的に入力する（たとえば早送りボタンを何度も押して速度を上げる）必要がなく、一瞬で好みの速度に調節できる。
【００４３】
さらに、タッチパネル１３において動画が再生されている領域であれば、どこでも任意の位置にタッチすればよく、操作のために動画から目を離す必要がない。とくに、動画再生速度は、最初にタッチした位置を基準位置（たとえば再生速度調整バー２０の中央位置）とするスライド操作により決定されるので、基準位置の感覚的な把握が容易である。
【００４４】
また、元の速度すなわち１倍速に戻すためには、指を離すだけ（タッチ解除操作）でよいので、従来のように再生ボタンを押さなければならない装置や、早送りボタンを数回押さなければならない装置と比較すると操作が容易である。
【００４５】
なお、スライド操作の方向と、動画再生速度の増減とは、実施の形態１で示したものに限らない。たとえば増減を逆転させてもよい。また、たとえば再生速度調整バーを左右に延びる形式とし、左右方向のスライド操作に応じて動画再生速度を変更してもよい。
【００４６】
実施の形態２．
実施の形態１では、上向きおよび下向きのスライド操作がそれぞれ動画再生速度の増加および減少に対応しているが、スライド操作の向きと動画変更速度の変化との対応関係はこれに限らない。実施の形態２は、この対応関係を異なる態様で実現する一例である。
【００４７】
図５に、再生速度調整バー２０およびノブ２１に代えて表示される操作円２２の例を示す。操作円２２は、実施の形態２において、動画再生速度に関するガイドマークとなる。操作円２２は、最初にタッチ操作が入力された位置を中心として表示される。操作円２２は、たとえば所定の角度範囲を占める扇形を含む。
【００４８】
図５の例では、操作円２２は、第１の扇形２３および第２の扇形２４を含む。第１の扇形２３は角度範囲αを占める中心角を有し、第２の扇形２４は、角度範囲αと重複しない角度範囲βを占める中心角を有する。図５の例ではこれらの中心角は互いに等しい。第１の扇形２３は第１の態様（平行斜線のパターンで示す）で表示され、第２の扇形２４は第２の態様（点描のパターンで示す）で表示される。第１の態様はたとえば赤色の半透明領域とすることができ、第２の態様はたとえば緑色の半透明領域とすることができる。
【００４９】
角度範囲αは、たとえば鉛直方向上向きおよび水平方向右向きを含む連続した範囲であり、角度範囲βは、たとえば鉛直方向下向きおよび水平方向左向きを含む連続した範囲である。また、第１の扇形２３および第２の扇形２４の半径は、それぞれ動画再生速度の上限および下限を表す。図５の例ではこれらの半径は互いに等しい。
【００５０】
スライド操作の終了位置が第１の扇形２３または第２の扇形２４に含まれる場合、演算手段１１は、動画再生速度を、操作円２２の中心からスライド操作の終了位置までの距離に応じて異なる値に制御する。たとえば、第１の扇形２３において距離が増加した場合には、動画再生速度を増加させ、第１の扇形２３において距離が減少した場合には、動画再生速度を減少させ、第２の扇形２４において距離が増加した場合には、動画再生速度を減少させ、第２の扇形２４において距離が減少した場合には、動画再生速度を増加させる。
【００５１】
なお、第１の扇形２３および第２の扇形２４は、全方位をカバーする必要はない。スライド操作の終了位置が第１の扇形２３にも第２の扇形２４にも含まれない場合、演算手段１１は動画再生速度を変更しない。または、スライド操作の終了位置が第１の扇形２３にも第２の扇形２４にも含まれない場合、演算手段１１は動画再生速度を１倍速に変更してもよい。
【００５２】
以上のように説明される実施の形態２においても、実施の形態１と同様にユーザの利便性が向上する。
【００５３】
実施の形態３．
実施の形態１の再生速度調整バー２０および実施の形態２の操作円２２は、最初にタッチ操作が入力された位置に固定されており、消去されるまで移動しない（ただし実施の形態１ではノブ２１は移動する）。実施の形態３は、これらのガイドマークがスライド操作に応じて移動する態様としたものである。
【００５４】
図６は、実施の形態３において例示に用いる、連続するスライド操作を示す。この例は、タッチ操作の後、６回のスライド操作Ｒ１〜Ｒ６が入力されたケースである。
図７を参照して、実施の形態１における再生速度調整バー２０がこのようなスライド操作に応じて移動する動作の例を説明する。再生速度調整バー２０の向きは、スライド操作が入力される度に、そのスライド操作の向きと平行になるよう変更される。また、スライド操作の距離が再生速度調整バー２０の中央から端部までの長さを超える場合には、再生速度調整バー２０は、その一端がスライド操作の終了位置と一致するよう移動する。このように再生速度調整バー２０が移動することにより、スライド操作の終了位置は常に再生速度調整バー２０に重なる位置となるので、ノブ２１は、常に、再生速度調整バー２０上にくるように、かつ、常にスライド操作の終了位置に表示可能である。
【００５５】
図７において、スライド操作Ｒ１、Ｒ２およびＲ５は上下方向において上向きの成分を含むものであり、したがって動画再生速度は増加する。また、スライド操作Ｒ３、Ｒ４およびＲ６は上下方向において下向きの成分を含むものであり、したがって動画再生速度は減少する。なお、複数回のスライド操作の結果として、再生速度調整バー２０またはノブ２１が元の位置に戻った場合であっても、動画再生速度はその元の時点での動画再生速度と同一とはならない場合がある。
【００５６】
また、図８を参照して、実施の形態２における操作円２２が図６のスライド操作に応じて移動する動作の例を説明する。操作円２２の位置は、スライド操作が入力される度に、そのスライド操作の終了位置が操作円２２の中心となるよう移動する。
【００５７】
スライド操作Ｒ１、Ｒ２およびＲ５は角度範囲αに含まれる向きに対応するものであり、したがって動画再生速度は増加する。また、スライド操作Ｒ３、Ｒ４およびＲ６は角度範囲βに含まれる向きに対応するものであり、したがって動画再生速度は減少する。なお、複数回のスライド操作の結果として、操作円２２が元の位置に戻った場合であっても、動画再生速度はその元の時点での動画再生速度と同一とはならない場合がある。
【００５８】
以上のように説明される実施の形態３においても、実施の形態１と同様にユーザの利便性が向上する。
【００５９】
実施の形態１〜３において、以下のような変形を施すことが可能である。
ガイドマークは、実施の形態１の再生速度調整バー２０や、実施の形態２における操作円２２に限らず、様々な態様で構成することができる。
また、ガイドマークはたとえば図９のような態様であってもよい。図９（ａ）は、ガイドマークが矢印および文字列を含む構成としたものである。矢印によってスライド操作の方向を示し、文字列によってその方向に対応する動画再生速度の変更内容を示す。たとえば、上向きの矢印に関連する位置（例として、図９（ａ）のように矢印と文字列とが少なくとも一部重なる位置）に、動画再生速度が増加することを示す文字列（図９の例では「ＦＡＳＴ」）が表示されている。また、下向きの矢印に関連する位置に、動画再生速度が減少することを示す文字列（図９の例では「ＳＬＯＷ」）が表示されている。
【００６０】
図９（ｂ）は、ガイドマークが操作円および文字列を含む構成としたものである。図５の操作円２２のように、角度範囲によってスライド操作の方向を示し、文字列によってその方向に対応する動画再生速度の変更内容を示す。たとえば、第１の扇形に関連する位置（例として、図９（ｂ）のように、第１の扇形と文字列とが少なくとも一部重なる位置）に、動画再生速度が増加することを示す文字列が表示されている。また、第２の扇形に関連する位置に、動画再生速度が減少することを示す文字列が表示されている。
【００６１】
また、ガイドマークを表示しないものであってもよい。すなわち、たとえば図３のステップＳ３、Ｓ７、Ｓ９およびＳ１１を省略してもよい。ガイドマークを表示しなくとも、スライド操作の方向に応じた動画再生速度の変更は実施の形態１および２と同様に実行することができる。このようにすると、タッチパネル１３において動画を表示する領域を常に広く確保できる。
【００６２】
さらに、ガイドマークを表示するか否かを変更可能としてもよい。たとえば、ガイドマークを表示するか否かを示すパラメータを記憶手段１２に記憶しておき、ゲーム内オプション設定等によりこのパラメータを変更可能としてもよい。このようにすると、ユーザが操作に慣れないうちはガイドマークを表示させて操作の理解を容易にし、ユーザが操作に慣れた時点でガイドマークを表示させないようにして動画を見易くすることができる。
【００６３】
実施の形態１〜３では、タッチ操作が入力されること（ステップＳ２）に応じて、動画再生速度を２倍速に変更する（ステップＳ４）。これは２倍速である必要はなく、１倍速のままであってもよいし、１倍速以外の所定の速度であってもよい。また、たとえば０倍速（すなわち一時停止）としてもよい。０倍速による動画表示とは、たとえば静止画表示を行うことと同等である。
【００６４】
ステップＳ４において１倍速のままとする場合には、その後上方向へのスライド操作に応じて早送りがなされ、下方向へのスライド操作に応じて、１倍速より小さい動画再生速度による再生（たとえばスロー再生またはコマ送り再生）がなされることになる。
【００６５】
また、ステップＳ４において０倍速に変更する場合には、その後上方向へのスライド操作に応じて、スロー再生、通常の再生、または早送りがなされ、下方向へのスライド操作に応じて、負倍速による再生がなされることになる。負倍速による再生とは、たとえばマイナス１倍速による逆再生（時間逆転再生）、絶対値が１倍速より小さい負倍速による逆スロー再生、絶対値が１倍速より大きい速度による巻き戻し再生、等を含む。
【００６６】
実施の形態１〜３では、動画再生速度の上限は所定値（たとえば１５倍速）であるが、上限を無限大倍速として扱ってもよい。たとえば、実施の形態１においてスライド操作の終了位置が再生速度調整バー２０の上端またはこれより上側である場合、そのスライド操作が入力された時点で動画の再生を終了してもよい。
【００６７】
実施の形態１〜３では、図４（ａ）に示すように、携帯端末１０は、動画が再生されている間、タッチ操作が入力されるまでは、動画再生速度の変更を指示するためのユーザインタフェースを表示しない。このためより広い領域を用いて、またはインタフェース表示に干渉されずに動画を再生することができる。しかしながら、変形例として、タッチ操作が入力されるまでの間であっても、動画再生速度の変更を指示するための公知のユーザインタフェース（一時停止ボタン、早送りボタン等）を表示してもよい。
【００６８】
動画再生装置は、携帯端末でなくともよい。デスクトップＰＣおよび固定式のタッチパネルを用いても、実施の形態１と同様に本発明を実施することができる。
【符号の説明】
【００６９】
１０  携帯端末（動画再生装置）、１１  演算手段、１２  記憶手段、１３  タッチパネル、２０  再生速度調整バー（ガイドマーク）、２１  ノブ、２２  操作円（ガイドマーク）、３０  指。
【図１】
2014154908.tif 000003
【図２】
2014154908.tif 000004
【図３】
2014154908.tif 000005
【図４】
2014154908.tif 000006
【図５】
2014154908.tif 000007
【図６】
2014154908.tif 000008
【図７】
2014154908.tif 000009
【図８】
2014154908.tif 000010
【図９】
2014154908.tif 000011